(57)【特許請求の範囲】
【請求項１】
煙捕集機用の煙収集装置であって、吸着ブロック（１）、人工口唇ホルダ（２）、人工口唇（３）、前方収集器カバー（５）、後方収集器カバー（７）及び吸着ブロック保持具（８）を備え、
前記人工口唇ホルダ（２）の内側部分に前記人工口唇（３）を設け；
前記前方収集器カバー（５）の前端を前記人工口唇ホルダ（２）に挿入して前記人工口唇を押圧し、前記前方収集器カバー（５）の後端には第１凹部があり；
前記後方収集器カバー（７）の前端には第２凹部があり、前記前方収集器カバー（５）の後端は、前記第２凹部内に収容され；
前記吸着ブロック保持具（８）は前記第１凹部内に収容され、中空の内部キャビティが設けられ；
前記吸着ブロック（１）は前記中空の内部キャビティ内に位置し；
前記前方収集器カバー（５）及び前記後方収集器カバー（７）の内側部分は一体的に、煙を収集するための収集キャビティ（１０）を形成し、前記収集キャビティの前端は前記吸着ブロックに接続し、
前記吸着ブロック（１）は、吸着管（２０）であり、前記吸着管（２０）は、外管（２１）、吸着管用の吸着ブロック（２２）、テーパ状境界面（２３）及びガスケット（２４）を備え、前記外管（２１）は、中空円筒であり、前記吸着ブロック（２２）は前記外管（２１）の内部に位置し、前記テーパ状境界面（２３）は、内部キャビティがテーパ状である中空の円筒であり、前記内部キャビティの広い端部は、前記外管（２１）側に接続し、前記ガスケット（２４）は、前記テーパ状境界面（２３）の内側に位置し、前記吸着ブロック（２２）に当接する中空の円筒である
ことを特徴とする煙収集装置。
【請求項２】
前記煙収集装置は更にケンブリッジフィルタ（６）を備え、前記ケンブリッジフィルタ（６）は前記前方収集器カバー（５）と前記後方収集器カバー（７）との接合部に前記収集キャビティ（１０）を横断して設けられることを特徴とする請求項１に記載の煙収集装置。
【請求項３】
貫通孔を有する第１ガスケット（４）は前記前方収集器カバー（５）に設けられ、前記第１ガスケットの前面は煙草ホルダ（９）に接続し、前記第１ガスケットの背面は前記吸着ブロック保持具（８）の前端に接続することを特徴とする請求項１に記載の煙収集装置。
【請求項４】
前記収集キャビティ（１０）は菱形の空洞形状であることを特徴とする請求項１に記載の煙収集装置。
【請求項５】
前記吸着ブロック（１）は固体吸着材料（１１）及び２つの側面篩板（１２）を備え、前記２つの側面篩板の間に前記固体吸着材料（１１）を設けることを特徴とする請求項１に記載の煙収集装置。
【請求項６】
前記吸着管（２０）において前記吸着ブロック（２２）の中央は固体吸着材料（２２１）であり；前記固体吸着材料（２２１）の両側に側面篩板（２２２）がそれぞれ設けられ；前記固体吸着材料（２２１）は活性炭材料、磁性吸着材料又は分子篩材料であり、前記固体吸着材料の粒径は４０〜８０μｍであり、前記固体吸着材料の２つの前記側面篩板（２２２）はそれぞれ４０〜６０μｍの目開きを有する砂中子用篩板であることを特徴とする請求項１に記載の煙収集装置。
【発明の詳細な説明】
【技術分野】
【０００１】
本発明は、煙草煙分析及び検出技術の分野、より具体的には、煙捕集機用煙収集装置、及び煙草煙を分析するために煙収集装置を使用する方法に関する。
【背景技術】
【０００２】
喫煙及び健康に関する調査が進むにつれ、人々の煙草煙の有害成分についての関心が高まっている。煙草主流煙は多数の揮発性有機化合物を含む。カナダ保健省のリストに挙げられた４４種類の有害有機化合物のうち、揮発性有機化合物は５種類、すなわち１，３‐ブタジエン、イソプレン、アクリロニトリル、ベンゼン及びトルエンである。１，３‐ブタジエン及びイソプレンは、ＩＡＲＣ（国際がん研究機関）によりヒト発癌性物質（２Ｂ）として、発癌性である。ベンゼンはヒト発癌性物質であり、その発癌性は「十分な動物実験及びヒト実験データ」（群１）である。アクリロニトリルは、ＩＡＲＣにより発癌性物質として分類され、これは「限定された動物実験及びヒト実験データ」に属する。トルエンは皮膚及び粘膜を刺激し、中枢神経系に麻酔作用を与える可能性があり、トルエン下の長期的暴露もまた癌を引き起こす可能性がある。従って、煙草煙中の揮発性有機化合物の効果的な捕集及び正確な測定は、喫煙及び健康に関する調査にとって実用的な意義を持つ。現在、主に、捕集のための冷却溶液吸収法（約−７０℃のメタノール）及び吸着管法により、煙草煙中の揮発性有機化合物を測定するＧＣ−ＭＳが利用されることが多い。冷却溶液吸収法では、１５ｍＬの冷メタノールが収容される、直列に接続された２つの収集ボトルを使用して収集するが、これにより操作が煩雑である。吸着管法では喫煙収集装置吸引チャネルの「デッドボリューム」が発生し、圧力降下がより大きくなるため、試験結果がより低再現性となる。
【発明の概要】
【０００３】
従来技術の欠点を克服するため、煙捕集機用煙収集装置、及び当該装置を使用した煙草煙の分析方法を提供する。本発明による装置は操作が簡単で反復性が良く、有機溶媒の消費量が少なく、試験結果と標準方法との間に大幅な差がない利点を有し、室温での揮発性有機化合物の捕集を可能にし、大量の試料分析に適している。
【０００４】
本発明の上記目的は、以下の技術的解決策により達成される。
【０００５】
一方において、煙捕集機用煙収集装置は、吸着ブロック、人工口唇ホルダ、人工口唇、前方収集器カバー、後方収集器カバー及び吸着ブロック保持具を備え、人工口唇ホルダの内側部分に人工口唇を設け、前方収集器カバーの前端を人工口唇ホルダに挿入し、人工口唇を押圧し、前方収集器カバーの後端には第１凹部があり、後方収集器カバーの前端には第２凹部があり、前方収集器カバーの後端は、第２凹部内に収容され、吸着ブロック保持具は第１凹部内に収容され、中空の内部キャビティが設けられ、この中に吸着ブロックを配置し、前方収集器カバー及び後方収集器カバーの内側部分は一体的に、煙を収集するための収集キャビティを形成し、収集キャビティの前端は吸着ブロックに接続する。
【０００６】
好ましくは、煙収集装置は更に、前方収集器カバーと後方収集器との接合部に収集キャビティを横断して設けられたケンブリッジフィルタを備える。
【０００７】
好ましくは、貫通孔を有する第１ガスケットを前方収集器カバーに設け、第１ガスケットの前面は煙草ホルダに接続し、第１ガスケットの背面は吸着ブロック保持具の前端に接続する。
【０００８】
好ましくは、収集キャビティは菱形の空洞形状である。
【０００９】
好ましくは、吸着ブロックは固体吸着材料及び２つの側面篩板を備え、２つの側面篩板の間に固体吸着材料を配置する。
【００１０】
好ましくは、収集キャビティと、収集キャビティ側に隣接する２つの側面篩板の１つとの間に、貫通孔を備えた第２ガスケットを設ける。
【００１１】
好ましくは、吸着ブロック内の吸着材料は、粒径が４０〜８０μｍの活性炭材料、磁性吸着材料又は分子篩材料であり、２つの側面篩板はそれぞれ４０〜６０μｍの目開きを有する砂中子用篩板である。
【００１２】
好ましくは、吸着ブロックは吸着管であり、吸着管は外管、吸着管用の吸着ブロック、テーパ状境界面及びガスケットを備え、外管は中空円筒であり、吸着管用吸着ブロックは外管の内部に位置し、テーパ状境界面は、内部キャビティがテーパ状である中空の円筒であり、開口端は外管側に接続し、ガスケットはテーパ状境界面の内側に位置し、吸着管用吸着ブロックに当接する中空の円筒である。
【００１３】
好ましくは、吸着管用吸着ブロックの中央は固体吸着材料であり、固体吸着材料の両側に２つの篩板の１つがそれぞれ設けられており、吸着材料は活性炭材料、磁性吸着材料又は分子篩材料であり、吸着材料の粒径は４０〜８０μｍであり、吸着材料の２つの側面篩板はそれぞれ４０〜６０μｍの目開きを有する砂中子用篩板である。
【００１４】
他方において、本発明は上記煙収集装置の使用により煙草煙中の揮発性有機化合物を分析する方法を提供し、当該方法は以下の工程を含む：
工程１、ＧＢ／Ｔ１６４４７規格条件に従って試料計量を行い、試料試験のために（平均品質±０．０２）ｇ及び（平均吸引抵抗±５０）Ｐａを有する煙草を選択する工程；
工程２、煙捕集装置に煙収集装置を取り付け、一度に１本の煙草を吸引する工程；
工程３、煙捕集後に煙収集装置を取り外し、吸着ブロックを抽出用容器に移す工程；
工程４、ブランク試料を煙収集装置内に設置し、一度に１本の煙草を吸引し、工程３を繰り返し、ブランク試料処理の結果を煙草試料の結果と比較し、煙草煙中の揮発性有機化合物を分析する工程。
【００１５】
本発明の技術的解決策はまた、以下のように説明できる：
本発明は以下を備える煙収集装置を提供する：
煙草ホルダを固定するための固定装置と取り外し可能に接続することが可能であり、その内部に接着材料を配置し、揮発性有機化合物などの煙草煙中の物質を吸着する吸着装置；及び
捕集チャンバの一端が上記吸着装置と密閉連通し、それにより煙が上記吸着装置を通過して進入することが可能になり、捕集チャンバの他端は煙吸引ポンプと連通する、２つの開放端を有する捕集チャンバ。
【００１６】
好ましくは、当該装置は保持装置も備える。すなわち、煙収集装置は以下を備える：
煙草を保持するための保持装置；
上記保持装置と密閉連通し、その内部に接着材料を配置し、揮発性有機化合物などの煙草煙中の物質を吸着する吸着装置；及び
捕集チャンバの一端が上記吸着装置と密閉連通し、それにより煙が上記吸着装置を通過することが可能になり、捕集チャンバの他端は煙吸引ポンプと連通する、２つの開放端を有する捕集チャンバ。
【００１７】
煙吸引ポンプは操作中にガスを吸い上げる。煙草煙は吸着装置に進入する。揮発性有機化合物などの煙中物質は吸着装置内の吸着材料に吸収され、非吸着物質は、煙吸引ポンプにより捕集チャンバを経て吸い出される。煙草煙の組成は、吸着装置内にある吸着材料中の物質の組成及び含有量を検出することにより測定する。
【００１８】
好ましくは、保持装置、吸着装置及び捕集チャンバは一体的に、又は取り外し可能に設けるが、好ましくは取り外し可能に設ける。保持装置、吸着装置及び捕集チャンバが取り外し可能である場合、吸着材料の組成及び含有量を測定するために吸着装置は容易に取り外せる。
【００１９】
好ましくは、保持装置、吸着装置及び捕集チャンバを取り外し可能に設ける場合、保持装置と吸着装置と捕集チャンバとの間にガスケットを設けることで、確実にこれら３部材を外部から密閉したままで互いに連通させる。
【００２０】
好ましくは、保持装置、吸着装置及び捕集キャビティを一体的に設ける場合、吸着装置には、吸着装置内の吸着材料を除去又は交換するために開閉可能な蓋を設ける。
【００２１】
好ましくは、保持装置は人工口唇及び人工口唇把持部を含む。人工口唇は煙草を保持するために使用し、人工口唇把持部の内側に配置し、人工口唇把持部で固定する。
【００２２】
好ましくは、吸着装置には内部に２つの側面篩板も設けられ、吸着装置内の吸着材料は２つの側面篩板の間に配置し、好ましくは２つの側面篩板はそれぞれ４０〜６０μｍの目開きを有する砂岩用篩板である。
【００２３】
好ましくは、吸着装置内の吸着材料は固体吸着材料、好ましくは活性炭材料、磁性材料又は分子篩材料であり、好ましくは、材料の吸着剤粒径は４０〜８０μｍである。
【００２４】
好ましくは、吸着装置には内部に外管を含む吸着剤管が設けられ、吸収材料は外管の内側に配置する。このような吸着剤管を使用する場合、吸着剤管を直接取り外すことも、吸着材料の交換又は除去中に適宜取り外すことも可能である。好ましくは、吸着剤管の外管には内部に２つの側面篩板が設けられ、吸収材料は２つの側面篩板間に配置し、好ましくは、２つの側面篩板の各々は４０〜６０μｍの目開きを有する砂中子用篩板である。
【００２５】
好ましくは、煙収集装置は捕集チャンバ内に配置されたケンブリッジフィルタを含む。
【００２６】
好ましくは、捕集チャンバの容積は１０〜２０ｍＬであり、二重円錐チャンバの形状であり、これは同じ２つの円錐を左右に背中合わせに接合させることで形成したチャンバであり、両端に開放端を有し（すなわち、狭い端部が開放端である）、一端は吸着材料と連通し、他端はポンプと連通している。好ましくは、ケンブリッジフィルタは二重円錐チャンバの最大円形断面に配置する。
【００２７】
他方において、本発明は煙捕集機用の上記煙収集装置を使用して煙草煙中の揮発性有機化合物を分析する方法を提供し、当該方法は以下の工程を含む：
工程１、煙草試料を選び、試料計量を行い、ＧＢ／Ｔ１６４４７規格条件に従って、試料試験のために煙草の（平均品質±０．０２）ｇ及び（平均吸引抵抗±５０）Ｐａを選択する工程であって、ここで平均品質及び平均吸引抵抗は、１銘柄につき５０本を超える煙草の品質及び吸引抵抗の平均値である；
工程２、煙捕集機に煙収集装置を取り付け、一度に１本の煙草を吸引する工程；
工程３、煙捕集後に煙収集装置を取り外し、煙収集装置の吸着装置内の吸着材料を抽出用容器に移す工程；及び
工程４、ブランク試料を煙収集装置内に設置し、一度に１本の煙草を吸引し、工程３を繰り返し、ブランク試料処理の結果を煙草試料の結果と比較し、煙草煙中の揮発性有機化合物を分析する工程。
【００２８】
先行技術と比較して、本発明は少なくとも以下の有利な技術的効果を有する：
１．本発明は、従来の捕集装置と比較して、収集器の前方カバー内に固体吸着材料を含む内部キャビティが追加されている新規なタイプの煙収集装置を採用していることから、煙の脱出が抑えられ、収集器内の滞留時間が長くなり、煙草煙中揮発性有機化合物に対する篩板間の吸着材料の吸着効果が良好になり、これにより煙草煙ガス流が完全に吸着剤と接触可能になり、確実に煙草煙の関連成分が効果的に吸収され、煙草煙中の揮発性有機化合物分析のための要件が満たされる。
２．本発明の煙収集装置が取り外し式を採用する場合、吸着材料を含む吸着装置、又は吸着材料を備えて吸着装置内部に配置された吸着管は直接取り外すことが可能であるため、吸着材料を除去するか、その中の吸着材料を交換することが簡便である。
３．本発明の煙収集装置にケンブリッジフィルタを設ける場合、吸着材料とポンプとの間にケンブリッジフィルタを設けていることから、煙草煙は最初に吸着材料を通過した後にケンブリッジフィルタを通過し、そのために吸着材料は煙中の揮発性有機化合物を完全に吸着することになり、そうすることで測定結果がより正確になる。
４．本発明の捕集チャンバが二重円錐チャンバである場合、二重円錐の２つの端部は開放端であり、一端は吸着材料と連通し、他端はポンプと連通している。このような構造では、吸着材料からの煙は円錐内で緩衝され、次いでケンブリッジフィルタを通過し、吸い出され、ケンブリッジフィルタを直接透過しないことになる。
【図面の簡単な説明】
【００２９】
【図１】内部キャビティを備える直線的煙収集装置の図である。
【図２】吸着ブロックの図である。
【図３】吸着管を備える煙収集装置の図である。
【図４】吸着管の図である。
【図５】異なる容積のキャビティに関する吸引曲線である。
【発明を実施するための形態】
【００３０】
本発明の技術的説明を更に具体例と組み合わせて詳細に説明する。
【００３１】
図１は煙捕集機用の煙収集装置を示す。当該装置は吸着ブロック１、人工口唇ホルダ２、人工口唇３、前方収集器カバー５、後方収集器カバー７及び吸着ブロック保持具８を備える。本発明によれば、人工口唇ホルダ２の内側部分に人工口唇３を設け、前方収集器カバー５の前端を人工口唇ホルダ２に挿入し、人工口唇を押圧する。前方収集器カバー５の後端には第１凹部があり、後方収集器カバー７の前端には第２凹部がある。前方収集器カバー５の後端は、第２凹部内に収容され、吸着ブロック保持具８は第１凹部内に収容し、中空の内部キャビティが設けられており、この中に吸着ブロック１が位置する。前方収集器カバー５及び後方収集器カバー７の内側部分は一体的に、煙を収集するための収集キャビティ１０を形成する。収集キャビティの前端は吸着ブロック保持具８に接続し、人工口唇３に挿入された煙草９と連通する。上記構造を有する本発明の煙収集装置によれば、収集装置の後端に設けられた吸着ブロックを介して煙草煙中の揮発性有機化合物を煙草煙に吸着させることが可能になり、それにより煙草煙流と吸着ブロック内の吸着剤とは互いに完全に接触し、確実に煙草煙中の関連成分が効果的に吸収され、煙草煙中の揮発性有機化合物の分析要件が満たされるようになる。
【００３２】
本発明によれば、煙収集装置には更に、前方収集器カバー５と後方収集器カバー７との接合部に収集キャビティ１０を横断して設けられたケンブリッジフィルタ６が備えられる。
【００３３】
本発明の好ましい実施形態によれば、貫通孔を有する第１ガスケット４を前方収集器カバー５に設ける。第１ガスケット４の前面は煙草ホルダ９に接続し、第１ガスケット４の背面は吸着ブロック保持具８の前端に接続する。
【００３４】
図１に示す本発明の例によれば、収集キャビティ１０は菱形の空洞形状である。ただし、当該形状は本明細書の一例に過ぎず、収集キャビティの形状はこれに限定せず、当技術分野で一般的に用いられているどのような形状も採用できる。
【００３５】
次に、図２を参照して吸着ブロックの構造について説明する。吸着ブロック１は固体吸着材料１１及び２つの側面篩板１２を備え、２つの側面篩板１２の間に固体吸着材料１１を設ける。収集キャビティ１０と２つの側面篩板１２との間に、貫通孔を有する第２ガスケット１３を設ける。
【００３６】
吸着ブロック１内の吸着材料１１は、粒径が４０〜８０μｍの活性炭材料、磁性吸着材料又は分子篩材料である。２つの側面篩板１２はそれぞれ４０〜６０μｍの目開きを有する砂中子用篩板である。
【００３７】
図３に示す本発明の別の実施形態によれば、吸着ブロック保持具８には、吸着管２０が配置された中空の内部キャビティ４が設けられる。吸着管２０は外管２１、吸着管用の吸着ブロック２２、テーパ状境界面２３及びガスケット２４を備え、外管２１は中空円筒であり、吸着ブロック２２は外管２１の内部に配置する。テーパ状境界面２３は、内部キャビティがテーパ状である中空の円筒である。内部キャビティの広い端部は外管２１側に接続し、ガスケット２４は、テーパ状境界面２３の内側に位置し、吸着ブロック２２に当接する中空の円筒である。
【００３８】
図４は、吸着ブロック２２の中央は固体吸着材料２２１であり、固体吸着材料２２１の両側にそれぞれの篩板２２２が設けられていることを示しており、吸着材料２２１は活性炭材料、磁性吸着材料又は分子篩材料であり、吸着材料の粒径は４０〜８０μｍであり、吸着材の２つの側面篩板２２２はそれぞれ４０〜６０μｍの目開きを有する砂中子用篩板である。
【００３９】
煙草煙中の揮発性有機化合物を分析する方法は以下の工程を含む：
工程１、煙草試料を処理し、煙草試料を選び、ＧＢ／Ｔ１６４４７規格条件に従って試料計量を行い、試料試験のために煙草の平均品質±０．０２ｇ及び平均吸引抵抗±５０Ｐａを選択する工程；
工程２、煙捕集装置に直線状煙収集装置を取り付け、一度に１本の煙草を吸引する工程；
工程３、煙捕集後に煙収集装置を取り外し、吸着ブロック１を抽出用容器に移す工程；
工程４、ブランク試料を煙収集装置内に設置し、一度に１本の煙草を吸引し、工程３を繰り返し、ブランク試料処理の結果を煙草試料の結果と比較し、煙草煙中の揮発性有機化合物を分析する工程。
【００４０】
人工口唇３内の煙草９は吸引中に煙を発生する。煙は吸着ブロック１を通過してケンブリッジフィルタ６に入る。吸着ブロック１は固体吸着材料１１及び２つの側面篩板１２を備え、固体吸着材料１１は２つの側面篩板１２の間に設ける。吸着ブロック１内の吸着材料１１は、粒径が４０〜８０μｍの活性炭材料、磁性吸着材料又は分子篩材料である。２つの側面篩板１２はそれぞれ４０〜６０μｍの目開きを有する砂中子用篩板である。煙は２つの側面篩板の前面篩板を通過し、数本の細いガス流に分かれ、活性炭材料により緩衝され、その後、背面篩板から流出する。煙中の関連成分はこのプロセス中に効率的に吸収される。
【００４１】
本発明の分析方法によるガスクロマトグラフィ／質量分析（ＧＣ／ＭＳ）装置条件を以下に列挙する：ＩｎｅｒｔＣａｐ  ＡＱＵＡＴＩＣ‐２カラムクロマトグラフィカラム（長さ：６０Ｍ、ＩＤ：０．２５ｍｍ、厚さ：１．４μｍ）；プログラムした温度手順：初期温度は４０℃、６．０分維持し、加熱率２０℃／分で２３０℃に上昇させ、１０分維持する；キャリヤガスはヘリウム  流速は１．５ｍＬ／分である；注入口温度は１８０℃、試料量は１．０μｌ、分割比は１０：１である；送電線温度は２３０℃、イオン源温度は２３０℃、四重極温度は１５０℃である；質量分析イオン化電圧は７０ｅＶである；スキャン方式：フルスキャン方式及び選択イオン方式を同時に行う。
【００４２】
【表１】
0006646673.tif 000002
【００４３】
次に、本発明の煙収集装置を使用する煙草煙中の揮発性有機化合物を分析する方法を実施例により例示する。
【実施例】
【００４４】
実施例１
銘柄Ａの煙草を選択し、ＧＢ／Ｔ１６４４７規格条件に従って試料計量を行い、試料試験のために煙草用の平均質量±０．０２ｇ及び平均吸引抵抗±５０Ｐａを選択する。待機状態の収集装置を煙捕集機に設置し、ＩＳＯ規格条件下で吸引を行い、吸引容積は３５．０ｍＬであり、吸引時間は２秒であり、吸引回数は６０秒間の回数であり、一度に１本の煙草を吸引する。煙草を吸引及び収集した後に収集装置を取り外し、吸着材料及び前後の篩板をそれぞれ対応する抽出用容器に移す。
【００４５】
ブランク試料に同じプロセスを適用する。結果を表２に示す。
【００４６】
【表２】
0006646673.tif 000003
【００４７】
実施例２
銘柄Ｂの煙草を選択し、ＧＢ／Ｔ１６４４７規格条件に従って試料計量を行い、試料試験のために、煙草用の（平均質量±０．０２）ｇ及び（平均吸引抵抗±５０）Ｐａを選択する。待機状態の収集装置を煙捕集機に設置し、ヘルスカナダインテンス（ＨＣＩ）規格条件下で吸引を行い、吸引容積は５５．０ｍＬであり、吸引時間は２秒であり、吸引回数は３０秒間の回数であり、一度に１本の煙草を吸引する。煙草を吸引及び収集した後に収集装置を取り外し、吸着材料及び前後の篩板をそれぞれ対応する抽出用容器に移す。
【００４８】
ブランク試料に同じプロセスを適用する。結果を表３に示す。
【００４９】
【表３】
0006646673.tif 000004
【００５０】
実施例３
銘柄Ｃの煙草を選択し、ＧＢ／Ｔ１６４４７規格条件に従って試料計量を行い、試料試験のために、煙草用の（平均質量±０．０２）ｇ及び（平均吸引抵抗±５０）Ｐａを選択する。本発明による装置（ケンブリッジフィルタを吸着材料とポンプとの間に設置する。装置は図１に示すとおりである）、及びケンブリッジフィルタとポンプとの間に吸着材料を設ける手段はそれぞれ、ＩＳＯ規格条件下で吸引を行い、吸引容積は３５．０ｍＬであり、吸引時間は２秒であり、吸引回数は６０秒間の回数であり、一度に１本の煙草を吸引する。煙草を吸引及び収集した後に収集装置を取り外し、吸着材料及び前後の篩板をそれぞれ対応する抽出用容器に移す。
【００５１】
ブランク試料に同じプロセスを適用する。両装置の技術的効果を互いに比較する。結果を表４に示す。
【００５２】
【表４】
0006646673.tif 000005
【００５３】
上記表の結果から、吸着材料とポンプとの間に配置されたケンブリッジフィルタの比較的良好な吸着効果が本発明によりもたらされたことが分かる。
【００５４】
実施例４
本実施形態は図１に示す装置を使用する。当該装置では、例えば１０〜２０ｍＬ、＜１０ｍＬ、＞２０ｍＬといった異なる収集キャビティ寸法を使用している。試験結果に応じた寸法の収集キャビティの効果の結果を図５に示す。図５によれば、収集キャビティの寸法は主に煙草吸引曲線に影響を与え、試験結果に影響する。処理ニーズを満たす状況下では、収集キャビティの容積を最小限に抑える必要があり、１０〜２０ｍｌに制限することを推奨する。容積が大きすぎるか、又は小さすぎたりする場合、吸引曲線に影響が及ぶ。
【００５５】
本発明は、従来の吸収装置と比較して新規なタイプの煙収集装置を採用していることから、本発明による装置には、従来の捕集装置と比較して、収集器の前方カバー内に固体吸着材料を含む内部キャビティが追加されている。そのため、煙の脱出が抑えられ、収集器内の滞留時間が長くなり、煙草煙中の揮発性有機化合物に対する篩板間の吸着材料の吸着効果が良好になり、これにより煙草煙ガス流が完全に吸着剤と接触可能になり、確実に煙草煙の関連成分が効果的に吸収され、煙草煙中の揮発性有機化合物分析のための要件が満たされる。５種類の揮発性有機化合物が０．０３μｇ／本〜０．０８μｇ／本に限定的に検出され、収集率は９７．６％〜１０７．８％である。本発明の装置は操作が簡単であり、再現性の判定が良好であり、有機溶媒の消費が低く、試験結果と標準方法との間に大幅な差はなく、大量の試料分析に好適な揮発性有機化合物を蒸発させる際に室温で実行することが可能である。
【図１】
0006646673.tif 000006
【図２】
0006646673.tif 000007
【図３】
0006646673.tif 000008
【図４】
0006646673.tif 000009
【図５】
0006646673.tif 000010